(57)【要約】【課題】  メス先ホルダのケーブルの状態によらずにメス先ホルダの劣化状態を確認することができるメス先ホルダ用チェッカを提供することにある。【解決手段】  メス回路７の一方と電気的に接続するメス回路接続手段１１と、メス回路７の他方と、切開回路８と、凝固回路９とにそれぞれ接続する接続端子を備えた電極接続手段１２と、メス回路接続手段１１に所定の電流を供給する定電流回路１４と、電極接続手段１２の各接続端子を切り換え選択する回路選択手段１６と、回路選択手段１６によって選択された回路とメス回路接続手段１１間に流れる所定の電流により発生する電圧を判定する電圧判定回路１８と、電圧判定回路の判定結果を表示する表示手段１９，２２とを備える。【選択図】          図１
2005312517.tif 000002
【特許請求の範囲】
【請求項１】
メス回路の一方と電気的に接続するメス回路接続手段と、前記メス回路の他方と、切開回路と、凝固回路とにそれぞれ接続する接続端子を備えた電極接続手段と、前記メス回路接続手段に所定の電流を供給する定電流回路と、前記電極接続手段の各接続端子を切り換え選択する回路選択手段と、該回路選択手段によって選択された回路と前記メス回路接続手段間に流れる所定の電流により発生する電圧を判定する電圧判定回路と、前記電圧判定回路の判定結果を表示する表示手段とを備えたことを特徴とするメス先ホルダ用チェッカ。
【請求項２】
前記回路選択手段は、トランジスタを用いて行う自動回路選択手段であって、前記メス回路を計測電源に接続することで発生する電圧でオン状態となる第１トランジスタと、前記メス回路を前記計測電源に接続し、かつメス先ホルダの切開スイッチ及び凝固スイッチの少なくとも一方を閉じることによって生じる電圧によってオン状態となる第２トランジスタおよび第３トランジスタとを有し、前記第２トランジスタがオン状態の時に前記第１トランジスタのオン状態を前記第３トランジスタによってオフ状態に反転させるものであることを特徴とする請求項１に記載のメス先ホルダ用チェッカ。
【発明の詳細な説明】
【技術分野】
【０００１】
本発明は、電気メスに使用されるメス先ホルダの断線および劣化状態をチェックするメス先ホルダ用チェッカに関する。
【背景技術】
【０００２】
電気メスに使用されるメス先ホルダには、ディスポーサブルな使い捨てタイプと、メーカが指定した回数のみ繰り返し使用することするが可能なセミ・ディスポーサブルタイプがある。近年、メス先ホルダは、洗浄滅菌などが可能になり、セミ・ディスポーサブルタイプのものに移行しつつある。しかしながら、セミ・ディスポーサブルタイプのものを使用するに際して、使用回数が違うものが混在することで、メーカが指定した回数まで使用可能か否かの確認ができていない状況である。
【０００３】
メス先ホルダを使用する手術には、開心術のような大きな手術から日帰り手術のような小さい手術もあって、手術に使用することよるメス先ホルダの劣化も様々である。このため、セミ・ディスポーサブルタイプのメス先ホルダを使用する際、手術中にメス先ホルダが使用できなくなったり、使用する直前に機能しないメス先ホルダもある。これを避けるため、手術終了後に洗浄したメス先ホルダを回路テスタによって導通テストを行い、導通を確認されたメス先ホルダを、滅菌しやすい状態にケーブルとともに束ねて結束し、滅菌バッグに封入して滅菌された状態のものを開封して手術に使用している。しかしながら、手術中に正常な切開や止血を行うことができず、手術中にメス先ホルダを取り替えるなどの手術の進行を妨げる状態が発生し、メス先ホルダを取り替えるほどの性能劣化に至っていない場合であっても、切開や凝固の性能低下を補うべく電気メス本体の高周波出力電力を増加させて劣化を補う場合があり、この場合の取り扱いを誤ると患者側の対電極と皮膚間で熱傷が発生するという危険性が伴う。
【０００４】
メス先ホルダは、単なる使用回数で使用限界が設定されるものではなく、回路テスタでの導通試験ではメス先ホルダの極めて少ない直流抵抗を測定することは極めて困難である。第７８回日本医科器械学会大会でにおいては「メス先電極ホルダのインピーダンス測定」が発表されている。これは、メス先に直列接続した５００Ωの抵抗と、メス先ホルダのケーブル端に電気メスと同じ５００ＫＨｚの高周波を加え、５００Ωの抵抗に生じる電圧によりインピーダンスを測定するものであるが、測定時のケーブルの状態（束ねた状態・延ばした状態・コイルのように巻かれた状態）によってインピーダンスが変化したり、スイッチ等の接触抵抗の増加が測定しずらいという問題点がある。
【発明の開示】
【発明が解決しようとする課題】
【０００５】
本発明の目的は、メス先ホルダのメス回路、切開回路、凝固回路を、個々の回路における劣化状態を測定でき、結果として、メス先ホルダのケーブルの状態によらずにメス先ホルダの劣化状態を確認することができるメス先ホルダ用チェッカを提供することにある。
【課題を解決するための手段】
【０００６】
請求項１に係るメス先ホルダ用チェッカは、上記課題を解決するために、メス回路の一方と電気的に接続するメス回路接続手段と、前記メス回路の他方と、切開回路と、凝固回路とにそれぞれ接続する接続端子を備えた電極接続手段と、前記メス回路接続手段に所定の電流を供給する定電流回路と、前記電極接続手段の各接続端子を切り換え選択する回路選択手段と、該回路選択手段によって選択された回路と前記メス回路接続手段間に流れる所定の電流により発生する電圧を判定する電圧判定回路と、前記電圧判定回路の判定結果を表示する表示手段とを備えたことを特徴とする。
【０００７】
請求項２に係るは、請求項１に記載のものにおいて、前記回路選択手段は、トランジスタを用いて行う自動回路選択手段であって、前記メス回路を計測電源に接続することで発生する電圧でオン状態となる第１トランジスタと、前記メス回路を前記計測電源に接続し、かつメス先ホルダの切開スイッチ及び凝固スイッチの少なくとも一方を閉じることによって生じる電圧によってオン状態となる第２トランジスタおよび第３トランジスタとを有し、前記第２トランジスタがオン状態の時に前記第１トランジスタのオン状態を前記第３トランジスタによってオフ状態に反転させることを特徴とするものである。
【発明の効果】
【０００８】
請求項１に係るメス先ホルダ用チェッカによれば、メス先ホルダのケーブルの状態によらずにメス先ホルダの個々の回路の劣化状態を確認することができる。請求項２に係るメス先ホルダ用チェッカによれば、回路選択手段において回路の切り換え選択を有接点部材を有しない自動切換式に構成することができ、有接点部材を使用した場合に比べ、測定時の経時的な接点抵抗の変化を排除できる。
【発明を実施するための最良の形態】
【０００９】
以下、本発明の実施の形態を図面を参照して説明する。図１は、本発明に係る実施形態のメス先ホルダ及びメス先ホルダ用チェッカを示すブロック図である。メス先ホルダ１０は、切開スイッチ１と凝固スイッチ２とが配設されているホルダ部３の先端部にメス先４が装着されると共に、ホルダ３の内部の回路に接続されたケーブル５がホルダ部３の後端から引き伸ばされ、ケーブル５の先端にコネクタ６が接続されてなる。コネクタ６は３つの接続ピン６ａ，６ｂ，６ｃを備え、このうち、接続ピン６ａとメス先４とが電気的に直接接続されてメス回路７を形成し、接続ピン６ｂは、常開の切開スイッチ１を介してメス回路７に接続されて切開回路８を形成し、接続ピン６ｃは、常開の凝固スイッチ２を介してメス回路７に接続されて凝固回路９を形成している。
【００１０】
メス先ホルダ用チェッカ２０は、メス回路７と電気的に接続するメス回路接続手段１１と、コネクタ６の接続ピン６ａ〜６ｃを接続するための各接続端子を備えた電極接続手段１２と、電源を供給するための電源回路１３と、メス回路７に所定の電流を供給する定電流回路１４と、定電流回路１４から供される電流を判定する電流判定回路１５と、コネクタ６の各接続端子を切り換え選択する回路選択手段１６と、切開スイッチ１又は凝固スイッチ２を押下すると点灯する選択確認手段１７と、回路選択手段１６によって選択された接続端子の電圧を判定する電圧判定回路１８と、電圧判定手段１８の判定結果を表示する表示手段（電圧表示手段１９、赤色ランプ２２）とを備える。
【００１１】
メス先ホルダ用チェッカ２０は、メス先ホルダ１０のコネクタ６を電極接続手段１２に接続すると共に、メス先４をメス回路接続手段１１に接続してメス先ホルダ１０の直流抵抗を測定するものである。
【００１２】
電源回路１３は安定化された所定の直流電圧を定電流回路１４に供給する。定電流回路１４は負荷となるメス先ホルダ１０の直流抵抗に関係なく一定の電流を保つ回路であり、このために、例えば、三端子電源ＩＣによる定電流回路等の公知の定電流回路を使用することができる。なお、負荷の変化に対して電流誤差が少ない回路を使用することが、測定精度が良好になるので好ましい。
【００１３】
メス先４より流入する定電流はコネクタ６より流出されるために、メス回路接続手段１１と電極接続手段１２間の発生電圧がメス先ホルダ１０の抵抗値に比例することになる。所定の発生電圧を劣化限界としてコンパレータ等の電圧判定回路１８によって高抵抗値を示す赤色ランプ２２を点灯し、デジタルまたはアナログの直流電圧計等の電圧表示手段１９を用い、抵抗値に換算した電圧を表示させることで抵抗値を直読することが可能となる。なお、デジタル表示の場合、電圧表示手段１９では予め固定抵抗で校正した抵抗値を表示するようにして、メス先４よりコネクタ６までの抵抗値をデジタルで表示させている。
【００１４】
一方、定電流回路１４の出力電圧に対して所定の電流を流し得ない高抵抗値が負荷になった場合には、定電流領域外となって測定範囲を逸脱するために、電圧表示手段１９に表示される数値は負荷の抵抗値を示すものではなく、電圧表示手段１９がデジタル表示である場合ではオーバーフロー表示、電圧表示手段１９がアナログ表示である場合ではレッドゾーンのスケール表示により対応する。このような定電流領域外の状態であっても電圧判定回路１８による赤色ランプ２２は点灯している。
【００１５】
回路選択手段１６は、メス先４よりホルダ部３を経由してコネクタ６に直接接続されているメス回路７と、メス回路７より切開スイッチ１を介してコネクタ６に接続されている切開回路８と、メス回路７より凝固スイッチ２を介してコネクタ６に接続されている凝固回路９とを選択する手段である。なお、回路選択手段１６は、トグルスイッチやロータリスイッチ等によって手動切換式に構成したり、或いはリレーを用いて自動切換式に構成することは可能であるが、これらのように有接点部材を使用した場合には、経時的に接点抵抗の変化が伴うため、半導体を用いた有接点部材を有しない自動切換式に構成することが好ましく、自動切換が作動した場合には、青色ランプ等の選択確認手段１７により、切換が行われたことを報知する。
【００１６】
図２は、第１実施形態のメス先ホルダ用チェッカ２０ａを示す正面図である。箱型の本体の上面には、メス先４を（接触により）接続するためのメス回路接続手段１１、メス先ホルダ１０のコネクタ６の接続ピン６ａ〜６ｃを接続する電極接続手段１２、切開スイッチ１を備えた切開回路８を選択したことを点灯によって示す選択確認手段１７としての赤色ランプ１７ａ，凝固スイッチ２を備えた凝固回路９を選択したことを点灯によって示す選択確認手段１７としての赤色ランプ１７ｂ、測定結果が正常であることを点灯により示す青色ランプ２５、電源スイッチ２３及び作動ランプ２４が配設されている。また、第１実施形態のメス先ホルダ用チェッカ２０ａは、図１の電源回路１３に代えて電源として電池を使用し、電圧表示手段１９を省いたもので、装置構成を簡便にしたものである。
【００１７】
電極接続手段１２は、メス回路７の他端の接続ピン６ａを接続する接続端子１２ａ、メス回路７より切開スイッチ１を介してコネクタ６に接続されている切開回路８の接続ピン６ｂを接続する接続端子１２ｂ及びメス回路７より凝固スイッチ２を介してコネクタ６に接続されている凝固回路９の接続ピン６ｃを接続する接続端子１２ｃで構成されている。
【００１８】
メス回路接続手段１１は、メス先４と電気的に接続可能とする電極であって、この実施形態では、導電性金属製の袋ナットで構成されている。なお、メス回路接続手段１１は、筒状金属に金メッキを施して電極を構成し、メス先４を金メッキ電極に接触させて計測する手法もある。なお、メス回路接続手段１１を接触式のものとする場合、メス先ホルダ１０を手に持ってメス回路接続手段１１（電極）に接触させると、押しつけ力や接触させる状態で接触抵抗が変化する場合があるために、接触抵抗が変化しないように接触させることが必要である。
【００１９】
第１実施形態のメス先ホルダ用チェッカ２０ａを使用したメス先ホルダ１０の劣化状態の測定について説明する。メス先ホルダ用チェッカ２０ａの電極接続手段１２にメス先ホルダ１０のコネクタ６を接続して電源スイッチ２３を投入すると、作動ランプ２４が点灯する。この状態で、メス先４をメス回路接続手段１１に接触させると、メス先４よりコネクタ６に直接接続されたメス回路７の測定が開始され、測定された抵抗値が設定された正常範囲内であれば、電流判定回路１５によって測定結果が正常であることを示す青色ランプ２５が点灯する。一方、測定結果が定電流回路１４の定電流領域外となる高抵抗の場合は、電流判定回路１５が作動して青色ランプ２５が消灯し、断線と同様の表示状態となる。
【００２０】
メス先４をメス回路接続手段１１に接触した状態で切開スイッチ１を押下した場合には、メス先４より切開スイッチ１を介して切開回路８に作用する電圧によって回路選択手段１６が切り換わり、選択確認手段１７により赤色ランプ１７ａが点灯すると共に、電流判定回路１５によって測定結果が正常であることを示す青色ランプ２５が点灯し、切開スイッチ１を押下する前に接続されていたメス回路７を自動的に切断して切開回路８の測定が行われる。
【００２１】
また、メス先４をメス回路接続手段１１に接触した状態で凝固スイッチ２を押下した場合も同様に、凝固回路９に作用する電圧によって回路選択手段１６が切り換わり、選択確認手段１７により赤色ランプ１７ｂが点灯すると共に、電流判定回路１５によって測定結果が正常であることを示す青色ランプ２５が点灯し、メス回路７を自動的に遮断して凝固回路９の測定が行われる。
【００２２】
切開回路８と凝固回路９は、切開スイッチ１または凝固スイッチ２を人為的に押下することにより回路選択を行わせているために、切開回路８と凝固回路９に対応した電極接続手段１２の電極を並列に接続して、切開回路８と凝固回路９を１つの独立した回路として回路選択手段１６で選択するようにし、切開回路８と凝固回路９とを区別して測定することができる。
【００２３】
切開スイッチ１または凝固スイッチ２を押下したときの測定緒果は、切開スイッチ１または凝固スイッチ２を押下しないメス回路７の測定結果と同じであるが、切開スイッチ１または凝固スイッチ２を押下したことを示す赤色ランプ１７ａ又は１７ｂが点灯して、回路選択手段１６が作動していることを示す点が異なっており、切開スイッチ１または凝固スイッチ２の接触抵抗が異常な高抵抗値である場合や断線の場合は、回路選択手段１６を作動させることができず、メス回路７の測定状態は切り換わらない。したがって、測定を示す青色ランプ２５が点灯したままであり、赤色ランプ１７ａ或いは１７ｂが点灯しないのを確認して、押下したスイッチまたは回路が不良であると判断する。
【００２４】
図３は、第２実施形態のメス先ホルダ用チェッカ２０ｂを一部破断して示す正面図であり、図４はメス先ホルダ用チェッカ２０ｂを一部破断して示す側面図である。第１実施形態と同様、箱型本体の上面に、メス先ホルダ１０のコネクタ６の接続ピン６ａ〜６ｃを接続する電極接続手段１２（即ち、メス回路７の接続ピン６ａを接続する接続端子１２ａ、切開回路８の接続ピン６ｂを接続する接続端子１２ｂ及び凝固回路９の接続ピン６ｃを接続する接続端子１２ｃ）、測定を示す青色ランプ２５、電源スイッチ２３及び作動ランプ２４が配設されている。また、第２実施形態においては、切開スイッチ１を備えた切開回路８又は凝固スイッチ２を備えた凝固回路９を選択したことを点灯によって示す選択確認手段１７としての青色ランプ１７ｃ、回路選択手段１６によって選択された回路の状態が高抵抗値であることを点灯により示す赤色ランプ２２、測定値を抵抗値としてデジタル表示する電圧表示手段（抵抗値表示手段）１９が配設されている。
【００２５】
さらに、第２実施形態においては、メス回路接続手段１１は、接触式のものに代えてメス先４のホルダ部３に挿入する電極［メス先ホルダ１０はメス先４がホルダ部３の先端（メス先装着部）に対して挿脱自在な構成であるため、メス先４をホルダ部３から外した状態として接続する］または同様のものを自立させてメス回路接続手段１１を構成し、自立しているメス回路接続手段１１にホルダ部３の先端部を挿入して接続し、比較的安定して接続ができるようにし、接触式のものに比べて抵抗の変化が少なくなるように工夫している。なお、手術時の使用条件と同じ条件で測定できるので好ましいが、メス先４の形状に対応した数の電極が必要であるために、接触抵抗を少なく安定させることを目的として、ネジ等によってメス回路接続手段１１を本体に固定し、ホルダ部３を所定の力を加えてメス回路接続手段１１に挿入接続する方法を用いる。第２実施形態では、一例として、図３及び図４に示すように、本体前面に開口２６を設け、開口２６内にホルダ部３のメス先装着部の形状に対応して２種類のメス回路接続手段１１ａ，１１ｂを設けている。
【００２６】
第２実施形態のメス先ホルダ用チェッカ２０ｂを使用したメス先ホルダ１０の劣化状態の測定について説明する。メス先ホルダ用チェッカ２０ｂの電極接続手段１２にメス先ホルダ１０のコネクタ６を接続して電源スイッチ２３を投入すると、作動ランプ２４が点灯すると共に高抵抗値を示す赤色ランプ２２が点灯した状態となる。
【００２７】
この状態でホルダ部３の前記メス先装着部をメス回路接続手段１１に（差し込んで）接続すると、メス先装着部に対しコネクタ６に直接接続されたメス回路７の測定が開始され、測定された抵抗値が設定された正常範囲内であれば、電圧判定手段１８により赤色ランプ２２が消灯すると共に、電流判定回路１５によって測定を示す青色ランプ２５が点灯し、抵抗値表示手段（電圧表示手段１９に相当）で測定値が抵抗値としてデジタル表示される。
【００２８】
測定結果が正常設定外の高抵抗である場合には、測定を示す青色ランプ２５と高抵抗値を示す赤色ランプ２２が同時に点灯するように設定されている。また、測定結果が定電流回路１４の定電流領域外となる高抵抗の場合は、電流判定回路１５が作動して、測定を示す青色ランプ２５が消灯すると共に、電圧判定回路１８により高抵抗値を示す赤色ランプ２２が消灯し、断線と同様の表示状態になる。
【００２９】
次に、ホルダ部３のメス先装着部をメス回路接続手段１１に接続した状態で切開スイッチ１を押下した場合には、切開スイッチ１が閉じ、切開回路８に作用する電圧によって回路選択手段１６が切り換わり、選択確認手段１７により青色ランプ１７ｃが点灯すると共に、切開スイッチ１を押下する前に接続されていたメス回路７を自動的に切断して切開回路８の計測が行われる。また、凝固スイッチ２を押下した場合も同様に、メス回路７を遮断して凝固回路９の計測が行われる。切開回路８と凝固回路９は、切開スイッチ１または凝固スイッチ２を人為的に押し下さげることにより回路選択を行わせているために、切開回路８と凝固回路９に対応した電極接続手段１２の電極を並列に接続して、切開回路８と凝固回路９とを区別して計測することができる。
【００３０】
切開スイッチ１または凝固スイッチ２を押下したときの計測結果は、切開スイッチ１または凝固スイッチ２を押下しない場合のメス回路７の計測結果と同じであるが、切開スイッチ１または凝固スイッチ２を押下したことを示す青色ランプ１７ｃが点灯して、回路選択手段１６が作動していることを示す点が異なっている。
【００３１】
切開スイッチ１または凝固スイッチ２の接触抵抗が異常な高抵抗値である場合や断線の場合は、回路選択手段１６を作動させることができず、したがってメス回路７の計測結果を表示したままであり、選択確認手段１７の青色ランプ１７ｃが点灯しないのを確認して押下したスイッチまたは回路が不良であると判断する。
【００３２】
なお、選択確認手段１７の青色ランプ１７ｃが点灯しない状況を見落とすことで、人為的に正常と誤った判断が行われる場合も予測されるため、誤った人為的判断を軽減する回路を付加することも可能であり、数値的な信頼性を確認する場合にあっては、内蔵した固定抵抗を測定して表示数値の確認校正を行い、またはコネクタ６とメス先装着部間に校正用抵抗を備えた校正器を用いて数値確認をしてもよい。
【００３３】
図５は、トランジスタを用いた自動的な回路選択手段１６の一具体的構成例を示す回路図である。メス回路制御用トランジスタ（第１トランジスタ）Ｑｃのコレクタは、電極接続手段１２を介してメス回路７に接続されており、トランジスタＱｃのべースは固定抵抗ｒ１を介してＱｃ３７のコレクタに接続され、トランジスタＱｃ３７のエミッタはアース２８に接続されている。このため、メス回路７を計測電源２７に接続することにより発生する電圧でトランジスタＱｃはオン状態となってメス回路７には所定電流が流れる。
【００３４】
また、切開回路８及び凝固回路９の制御用トランジスタ（第２トランジスタ）Ｑａのコレクタは、電極接続手段１２を介して切開スイッチ１を押下した時に接続される切開回路８又は凝固スイッチ２を押下した時に接続される凝固回路９に接続されている。トランジスタＱａのべースは固定抵抗ｒ２を介してトランジスタＱａのコレクタに接続され、トランジスタＱａのエミッタはアース２８に接続されている。このため、切開スイッチ１及び凝固スイッチ２の少なくとも１つを押下した時に作用するトランジスタＱａのコレクタ電圧によってトランジスタＱａはオン状態となり、押下した切開スイッチ１又は凝固スイッチ２に対応して切開回路８又は凝固回路９に所定電流が流れる。
【００３５】
さらに、トランジスタ（第３トランジスタ）Ｑｂのコレクタはトランジスタ（第１トランジスタ）Ｑｃのべースに接続されており、トランジスタＱｂのべースは固定抵抗ｒ３を介してトランジスタ（第２トランジスタ）Ｑａのコレクタに接続され、トランジスタＱｂのエミッタはアース２８に接続されている。このために、メス回路７に作用する電圧でトランジスタＱｃがオン状態であっても、切開スイッチ１または凝固スイッチ２を押下することによって、トランジスタＱａがオン状態になると共に、トランジスタＱｂがオン状態になるため、トランジスタＱｂのオン状態によってトランジスタＱｃはオン状態からオフ状態に反転し、押下したスイッチの回路のみに所定電流が流れ、メス回路７、切開回路８、凝固回路９の自動的な回路選択を可能とする。
【００３６】
なお、トランジスタは飽和域に達する必要なべース電流を流すことが必要なために、直流電流増幅率の高いものを使用することが望ましく、トランジスタに代えてオン抵抗の小さいパワーＭＯＳ  ＦＥＴを使用することも可能である。
【００３７】
以上のことから、本願発明に係るメス先ホルダ用チェッカは、手術および高温・高湿の洗浄・滅菌と言う過酷な再生工程を繰り返して使用されるメス先ホルダの劣化状態をデジタルまたはアナログで計測することによって、メス先ホルダのトラブルによる手術の遅延等をなくすことができる。計測についても特別な工程はなく、滅菌バッグに封入するために束ねて結束した状態でも、切開回路及び凝固回路を回路毎に測定することができ、安定した電気的性能のメス先ホルダを予め準備できるから、メス先ホルダの性能低下による手術中のメス先ホルダ交換の確率が極めて低くなり、手術の進行を妨げることもなく、患者に与える熱傷等の危険性も回避でき、安全かつ円滑な手術を行うという効果がある。
【００３８】
さらに、テスタによる導通試験で問題がないメス先ホルダであっても、前述のように数値的チェックで使用不適な状態のメス先ホルダを、手術後の洗浄した状態で把握できるために、滅菌パックに詰めることも滅菌することもなく、その場で不良品として処理できるので、安全性だけでなく保管管理を含む無駄な作業や経費が削減できて病院運営の改善にも貢献する。
【図面の簡単な説明】
【００３９】
【図１】本発明に係る実施形態のメス先ホルダ及びメス先ホルダ用チェッカを示すブロック図である。
【図２】第１実施形態のメス先ホルダ用チェッカを示す正面図である。
【図３】第２実施形態のメス先ホルダ用チェッカを一部破断して示す正面図である。
【図４】同上のメス先ホルダ用チェッカを一部破断して示す側面図である。
【図５】トランジスタを用いた自動的な回路選択手段の一具体的構成例を示す回路図である。
【符号の説明】
【００４０】
１  切開スイッチ
２  凝固スイッチ
３  ホルダ部
４  メス先
５  ケーブル
６  コネクタ
６ａ  接続端子（メス回路）
６ｂ  接続端子（切開回路）
６ｃ  接続端子（凝固回路）
７  メス回路
８  切開回路
９  凝固回路
１０  メス先ホルダ
１１  メス回路接続手段
１２  電極接続手段
１３  電源回路
１４  定電流回路
１５  電流判定回路
１６  回路選択手段
１７  選択確認手段
１８  電圧判定回路
１９  電圧表示手段
２０  メス先ホルダ用チェッカ
２２  赤色ランプ（高抵抗値）
２３  電源スイッチ
２４  作動ランプ
２５  青色ランプ（測定）
２６  開口
２７  計測電源
２８  アース
Ｑａ  トランジスタ
Ｑｂ  トランジスタ
Ｑｃ  トランジスタ
ｒ１  固定抵抗
ｒ２  固定抵抗
ｒ３  固定抵抗
【図１】
2005312517.tif 000003
【図２】
2005312517.tif 000004
【図３】
2005312517.tif 000005
【図４】
2005312517.tif 000006
【図５】
2005312517.tif 000007